Podtech/llm-jp-corpus-v4-ja_patent huggingface dataset:
(57)【要約】      （修正有）【課題】宝石やコイン等を使用した装身具を身につけたまま入浴できる、安価で防水性を高めた装身具を提供する。【解決手段】装身具は、コイン１と、コイン１の前面と後面に配する透光性部材２と、外枠５を備える。コイン１が透光性部材２より小さい場合は、コイン等を保持するためのドーナツ状の金属またはガラスや樹脂等の内輪３にコイン１を保持した三層の外周に接着剤４やシール剤等を隙間なく一周し防水効果を得た本体に外枠５を付けることにより、ペンダント、指輪、耳飾り、腕輪等の装身具にする。【選択図】図１
0003228953.tif 000002
【実用新案登録請求の範囲】
【請求項１】
中心にコインを置き、透光性部材を前記コインの前面と後面の両面で挟んだ状態で第1透光性部材、コイン及び第２透光性部材のこれら三層の外周に接着剤を塗布し、又はゴム材を介在させて防水性を持たせ枠に装着したことを特徴とするコイン装身具。
【請求項２】
前記第1透光性部材及び/又は前記第２透光性部材は、ガラス、透明プラスチック樹脂であることを特徴とする請求項１に記載のコイン装身具。
【考案の詳細な説明】
【技術分野】
【０００１】
本考案は、コイン内蔵型装身具に関し、さらに詳しくは、防水性を高め入浴時などでも装身具を外すことなく常時携帯することを可能にすることを目的とし、かつ、ペンダント、指輪、耳飾り、腕輪等多用途に使用できるコイン内蔵型装身具に関するものである。
【背景技術】
【０００２】
従来のコインを使用した装飾品は、コインが剥き出しになっていて、コイン自体に傷や汚れがついてすぐに価値が落ちてしまった。またガラス等で保護されたものもあったが、防水のものは少なく入浴時に水分が入り、くもりや汚れがついてしまった。さらに完全防水型のものもあるにはあったが、製作が複雑で高価のものが多かった。
【先行技術文献】
【特許文献】
【０００３】
【特許文献１】特許文献１  実開平６−61115号  公報  特許文献２  実用新案登録第3225467号  公報  特許文献１に記載のものは、非常に複雑で手間がかかりコスト高になってしまっていた。また、特許文献２に記載のものは、各基盤の間に透明な接着材料を入れるので空気が入りやすく、空気が入ってしまうと宝飾品としての価値が損なわれてしまう難点があった。
【非特許文献】
【０００４】
【非特許文献１】特になし。
【考案の概要】
【考案が解決しようとする課題】
【０００５】
従来よりガラス等を使用した装身具はあるが、防水性のある装身具は複雑で高コストになり、また防水性に欠けたものは入浴時等に水分等が中に入り、くもりや汚れが発生していた。内部に水分等の侵入するおそれのある入浴時などでも、それらの装身具を身につけたまま入浴できるよう安価で防水性を高めた装身具の提供を目的とするものである。
【課題を解決するための手段】
【０００６】
中央にコインを置き、ガラスや樹脂等でできた透光性部材を前面と後面の両面でサンドイッチ状態にし、その三層の外周に接着剤等を隙間なく一周することで防水性を得ることができる。またテープやパッキン等で覆い外枠で押圧することによりさらに防水性を高めることができる。
【考案の効果】
【０００７】
この考案により安価で簡単に防水性が得られ、入浴時に装身具を外す必要もないため紛失することもない。また前面と後面にガラス又は樹脂等で保護されているためキズや汚れることもない。防水性があるためくもりや変色することもないためその価値は失われることはない。
【図面の簡単な説明】
【０００８】
【図１】本考案のコインを用いた装身具の一実施例を示すペンダントの概略斜視図である。
【図２】本考案のコインを用いた装身具の組立手順を示し、全体を組み立てる前の概略斜視図である。
【図３】組立が完了した状態の概略中央縦断面図である。
【図４】一実施例のペンダント外枠である。
【図５】組立が完了した状態に一実施例であるペンダント外枠をはめ込んだ状態の概略中央縦断面図である。
【図６】第２考案のコインを用いた装身具の組立手順を示し、全体を組み立てる前の概略斜視図である。
【図７】第２考案の組立が完了した状態の概略中央縦断面図である。
【図８】第２考案の組立が完了した状態に一実施例であるペンダント外枠をはめ込んだ状態の概略中央縦断面図である。
【図９】第２考案のコインを用いた装身具の一実施例を示すペンダントの概略斜視図である。
【考案を実施するための形態】
【０００９】
以下この考案の装身具用枠の一実施例を図面に基づいて詳細に説明する。図面はペンダントに適用した例を示す。図１は、この考案のコインを用いた一実施例を示すペンダントの概略斜視図である。図２は、1のコインが２の透光性部材より小さい場合は、３のコインを収納するのに凹所を設けたリング状コイン保持枠を使用する状態の全体を組み立てる前の概略斜視図である。図３は、1のコインが２の透光性部材より小さい場合、３のコインを収納するのに凹所を設けたリング状コイン保持枠に１のコインを凹所に収納し、前記コインの前面と後面に２の透光性部材でサンドイッチ状態に組立て、その外周に４の接着剤やシール剤等を隙間なく一周し防水性を得た状態の概略中央縦断面図である。図４は一実施例のペンダント外枠の正面図である。図５は、図３の組み立てた本体に図４の一実施例のペンダント外枠にはめ込み、ペンダントにした状態の概略中央縦断面図である。図６は、1のコインが２の透光性部材とほぼ同じ径の状態の全体を組み立てる前の概略斜視図である。図７は、中心に１のコインを置き、前記コインの前面と後面に２の透光性部材でサンドイッチ状態に組立て、その外周に４の接着剤やシール剤等を隙間なく一周し防水性を得た状態の概略中央縦断面図である。図８は、図７の組み立てた本体に図４の一実施例のペンダント外枠にはめ込み、ペンダントにした状態の概略中央縦断面図である。図９は第２考案であるコインを用いた一実施例を示すペンダントの概略斜視図である。
【実施例】
【００１０】
この考案の一実施例のペンダントであるが、外枠を替えることにより指輪、腕輪、耳飾り等他の装身具にも応用できる。
【産業上の利用可能性】
【００１１】
本考案のコインを使用したペンダントに適した例について説明したが、指輪や腕輪・耳飾り等にも応用でき、防水性があるので入浴時や手洗い時に外す必要がなく紛失することがない。また両面ガラスや透明樹脂等に覆われているためキズや汚れることもない。
【符号の説明】
【００１２】
１ コイン  ２ 透光性部材  ３ コイン保持部材  ４ 接着剤  ５ 枠体  6 吊下げ部材  7 吊下げ用リング
【図１】
0003228953.tif 000003
【図２】
0003228953.tif 000004
【図３】
0003228953.tif 000005
【図４】
0003228953.tif 000006
【図５】
0003228953.tif 000007
【図６】
0003228953.tif 000008
【図７】
0003228953.tif 000009
【図８】
0003228953.tif 000010
【図９】
0003228953.tif 000011
(57)【要約】【課題】髪をシュシュ一つで簡単にしっかり束ねることができ、装飾性が高く多様性のある髪束用具を提供する。【解決手段】筒状に縫製した布にゴム紐２を通しビーズ３内で交差させゴム紐末端にもビーズ４を通すことでゴムが布から抜けず、両端から出ているゴム紐を引っ張ることで布が縮まり従来のシュシュの形態となる。【選択図】図３
0003228952.tif 000002
【実用新案登録請求の範囲】
【請求項１】
両端を１／４円状に縫製した筒状の布にゴム紐を通し、更にビーズに交差して通し絞ることで頭部にフィットしたヘアバンドになりゴム紐を引っ張ることでどんな毛量の髪も簡単に束ねることができる。また、束ねた髪をシニヨンにも応用できる３ＷＡＹが可能なシュシュである。
【請求項２】
両端を半円状にカットし中央に開口部を設けゴム紐を通し更にビーズを通し絞ることで請求項１より華やかな装飾を呈するシュシュである。
【考案の詳細な説明】
【技術分野】
【０００１】      本考案は、主として毛髪を束ねるのに使用されるシュシュに関するものである。
【背景技術】
【０００２】      頭飾品としてあるいはブレスレット代わりとしてシュシュが女性に広く用いられており、特に毛髪を束ねる実用装飾品として以下の如き考案の提案がある。
【先行技術文献】
【特許文献】
【０００３】
【特許文献１】実公平６−２１３６２号公報
【特許文献２】登録実用新案第３１２３９０２号公報
【特許文献３】登録実用新案第３１６１８８９号公報
【考案の概要】
【考案が解決しようとする課題】
【０００４】      特許文献１の考案「多目的頭飾髪止め装具」はゴムを外周被覆体内に入れ、リング状の外周被覆体で髪を束ねようとする構造で装飾する髪飾りである。また、本装飾機能だけでは髪をしっかり束ねることは難しく先にゴム紐で髪を束ねた後に重ねて装着する必要があり単に装飾するためのものである。【０００５】      特許文献２の考案「美人シュシュ」は、より華やかであるが毛髪を束ねることに関しては特許文献１と同様で単に装飾するためのものである。【０００６】      また特許文献３の考案「シュシュ」は風呂上りの湿った髪の乾燥、及び装飾を目的とされており無端ゴム紐を引き出しコイルスプリングで留め髪を束ねることで髪の迅速な乾燥が主な目的であるが洗髪後にドライヤーで髪を乾燥させることが髪の美しさを保持することが推奨されておりシュシュを用いて自然乾燥する需要が期待できない。また、ゴム絞り紐を緩めれば布を広げヘアバンド、絞った状態ではブレスレットとしての装飾品として活用できるとしているが多くの装飾効果は期待できない。【０００７】      よって本考案は上述した従来技術を活かし更に誰にでも簡単に髪を束ね、３ＷＡＹでアレンジ装飾できることを目的とする。
【課題を解決するための手段】
【０００８】      上記課題を解決するため、本考案のシュシュはリング状にするのではなく両端を１／４の円状で筒状の形態で縫製しゴム紐を通し、更にビーズ等に交差して通し両端のゴム紐を引っ張ることで簡単に髪を束ねることができ、両端の１／４円状がリボンの様に見える。又、両端を半円状にカットし筒状に縫製し中央に開口部を設けゴム紐を通し、更にビーズを通し絞ることで華やかさが増す。従来の先にゴムで髪を束ねることなく本品のみでの結束が可能であり、ゴムの長さ布の太さ、縫製時にフリル片、ブレード等を採用することで装飾の幅が広がり多目的に活用できる。
【考案の効果】
【０００９】      上記した考案のシュシュは引っ張るゴムの先に、装飾とゴム紐が抜けないようビーズを通す。絞らず伸ばした状態で頭へ装着するとヘアバンドとして装着でき、そのままの状態から両端のゴムを引っ張ることで髪を束ねることができる。髪を束ねた後に垂れ下がったゴム紐を三つ編みに編み込み末端をゴムで結ぶ。ゴム紐のみを引っ張りシュシュの下方で引っ張り伸びたゴム紐を根元で結びシニヨンヘアにもできる。又、ヘアバンドとしてではなく結び目をリボンの様に見せる場合は交差するビーズ部分を上にし、両端のゴム紐を引っ張ることでリボンの様に見える。更に、垂れたゴム紐をビーズの上で結んでも装飾品としての効果は高い。【００１０】      シュシュの両端から出るゴム紐を引っ張るだけなので肩を挙上できない方でも簡単に髪を束ねることが期待できる。【００１１】      直接、毛髪をゴムで束ねるわけでないため切れ毛等を予防することにもなる。【００１２】      毛髪の装飾だけでなく贈答品の包装後のリボンとしても活用できる。
【図面の簡単な説明】
【００１３】
【図１】本考案のシュシュの型紙である。
【図２】１を縫い合わせゴム紐２を通した本考案シュシュの平面図である。
【図３】ゴム紐２を引っ張った状態の本考案シュシュの平面図である。
【図４】本考案シュシュをヘアバンドとして装着した前後の図である。
【図５】本考案のシュシュで真ん中にゴムを通す場合の型紙である。
【図６】図５の型紙の布を２枚重ねて縫合しゴム紐２を通した図である。
【図７】図５の本考案シュシュのゴム紐を引っ張った状態の平面図である。
【図８】図３、図７の本考案シュシュで髪を束ねた状態の図である。
【図９】本考案シュシュのアレンジしたシニヨンヘア手順の図である。
【図１０】本考案シュシュのアレンジしたシニヨンヘア手順の図である。
【図１１】本考案シュシュのアレンジしたシニヨンヘア手順の図である。
【考案を実施するための形態】
【００１４】  本考案のシュシュは布を筒状に縫製したものにゴム紐２を通し、更に交差するようにビーズ３に通し両端を引っ張ることで筒状の布が絞られる。ビーズに通したゴム紐２が取れないように末端にもビーズ４を通すことで交差したゴム紐２が抜けるのを防ぎ円状の形態を維持することができる。又、筒状の布の端を丸く縫製することで絞った時にリボンの様に見える構造である。
【実施例】
【００１５】  筒状の布の両端から出ているゴム紐２の端のビーズ４を引っ張ることであらゆる頭部の形状にも対応しヘアバンドとして活用できる。又、毛量に左右されることなく束ねられる。【００１６】  毛髪を結束し垂れたゴム紐２を三つ編みに編み込みゴム紐２とともに末端を別のゴム５で束ね本考案シュシュのゴム紐２を引っ張り絞った髪を本考案シュシュの根元でゴム紐２を結び固定しシニヨンヘアができる。
【符号の説明】
【００１７】１生地の縫製
２ゴム紐
３ビーズ大
４ビーズ小
５ゴム
【図１】
0003228952.tif 000003
【図２】
0003228952.tif 000004
【図３】
0003228952.tif 000005
【図４】
0003228952.tif 000006
【図５】
0003228952.tif 000007
【図６】
0003228952.tif 000008
【図７】
0003228952.tif 000009
【図８】
0003228952.tif 000010
【図９】
0003228952.tif 000011
【図１０】
0003228952.tif 000012
【図１１】
0003228952.tif 000013
(57)【要約】      （修正有）【課題】夏場において快適性を保ちつつ感染防止能力の向上に寄与するマスクを提供する。【解決手段】ポケット付き接触冷感マスクは、接触冷感を用いた生地の２層マスクであり、内側両端に切れ目を入れて医療現場でも使われる不織布シート等、物質を捉えて広がりを抑えるものを挟む。また、顔とマスクの隙間からの有害物質の侵入防止のために上端部分には鼻に合わせて折り曲げる為の針金を通す。【選択図】図１
0003228984.tif 000002
【実用新案登録請求の範囲】
【請求項１】
接触冷感を呈した生地から作られ、２層であり内側の両端に切込みを入れることでマスク内に医療現場でも使われる不織布のシートなどが挟めるようになっている、快適性と感染予防を両立させたポケット付き接触冷感マスク。
【請求項２】
上端部分には鼻に合わせて折り曲げる為の針金が通されてあり、顔にしっかり固定できるため、より感染防止への寄与が期待される請求項１に記載のポケット付き接触冷感マスク。
【考案の詳細な説明】
【技術分野】
【０００１】
本考案は暑い時期に快適に着用でき、かつ病気予防にも有用であるポケット付き接触冷感マスクに関するものである。
【背景技術】
【０００２】
人はマスクで鼻と口を覆うことで病気の予防や、花粉や埃等の有害な物質の侵入を防いでいる。
【０００３】
マスクは主に不織布やガーゼ等から作られ、近年ではフィット性や伸縮性に優れたポリウレタン製のマスクも使われるようになった。
【０００４】
また、世界的なウイルスの流行に伴いこれまで基本的に不要とされていた夏季にもマスクの着用が必要になり、寝具等に用いられるような接触冷感を呈した生地でのマスクも作られるようになっていった。
【考案の概要】
【考案が解決しようとする課題】
【０００５】
接触冷感を呈し、なおかつ肌触りの良い生地を用いたマスクによって夏季のマスク着用時の不快感は飛躍的に改善された。
【０００６】
しかしながら上記の生地は本来マスクに用いられるようなものではない。通気性は良いがその反面、不織布マスク等の様にウイルスや埃等の侵入を防ぐ効果が薄い。  
【０００７】
侵入を防ぐ面においてもそうだが、同時に飛沫を抑える効果も薄く繊維の隙間から有害な物質が出入りしてしまう。
【０００８】
医療用マスク等と比べて快適性はあっても疾病予防の為のマスクとしての能力は低く、これまでの不織布やガーゼ、ポリウレタンマスク使用者が一斉に上記のマスクを使用した場合、感染防止策として十分かどうかの懸念が残る。
【０００９】
本考案は以上の様な問題点を解決し、夏場において快適性を保ちつつ感染防止能力の向上に寄与するマスクの提供を目的とする。
【課題を解決するための手段】
【００１０】
本考案にかかるマスクは接触冷感を呈した生地を用いる。ここでのマスクは２層以上のものとする。
【００１１】
また、両端の内側にのみ切れ目を入れてポケットを付ける。
【００１２】
上端の部分には細い針金を通しておく。
【考案の効果】
【００１３】
本考案マスクは接触冷感を呈した生地を用いることによって着用していても暑さを感じにくく、汗や呼気によって蒸れにくい。顔に熱がたまることを防ぐため、毎年夏季に問題になる熱中症の予防にも有用である。
【００１４】
また内側にはポケットが付いている。このことによってそのポケット内に、この生地では足りていない感染防止要素を追加することができる。例えば医療用マスクに使われるような生地をポケットに入れることで外側の布を通過してきたウイルスや埃を留めておくことができる。
【００１５】
ポケットを横にしている為、上端に針金を通すことが可能になる。この針金を着用者の鼻に合わせて折ることで、マスクと顔との隙間を可能な限り無くすことができる。この点においても感染防止という問題に大きく寄与できる。
【００１６】
上記の理由から、夏季につけていても不快感を持たず、暑い時期特有の危険から使用者を守り、かつ感染防止に寄与するマスクの提供を可能にした。
【図面の簡単な説明】
【００１７】
【図１】本考案マスクの全体図である。
【図２】本考案マスクのポケットにフィルター等を入れている図である。
【考案を実施するための形態】
【００１８】
本考案は水着や運動着の様な通気性が良く速乾性に優れた生地に接触冷感を呈した素材で作られる。
【００１９】
２層であり内側の両端には切込みが入っていて、物を挟めるようになっている。
【００２０】
上端部には鼻に合わせて折る為の細い針金が通してある。
【図１】
0003228984.tif 000003
【図２】
0003228984.tif 000004
【手続補正書】
【提出日】令和2年8月12日(2020.8.12)
【手続補正１】
【補正対象書類名】実用新案登録請求の範囲
【補正対象項目名】全文
【補正方法】変更
【補正の内容】
【実用新案登録請求の範囲】
【請求項１】
接触冷感を呈した生地から作られ、２層であり内側の両側に切り込みを入れることでマスク内に医療現場でも使われる不織布のシートが挟めるようになっている、快適性と感染予防を両立させたポケット付き接触冷感マスク。
【請求項２】
上端部分には鼻に合わせて折り曲げる為の針金が通されてあり、顔にしっかり固定できるため、より感染防止への寄与が期待される請求項１に記載のポケット付き接触冷感マスク。
(57)【要約】      （修正有）【課題】アンカーボルトを設置する際に正確な位置にすばやく設置出来る治具を提供する。【解決手段】治具は、角形鋼管１、センターケガキ済プレート２、ロングナット３、ズレ防止付きボルト４、ズレ防止スパイク５を有する。アンカーボルト７を固定した治具本体（ロングナット３付き）を型枠６（コンクリートパネル）の内部に設置し、予めアンカーボルトの中心位置にマーキングされた型枠６に治具本体を押し当て、センターケガキ済プレート２にあるケガキ線を所定の位置へセットした後に、スパイク５が食い込むようにナット付きのボルト４で押付け固定する。４か所のズレ止めスパイク５の効果で、型枠６（コンクリートパネル）に強固に固定される。【選択図】図１
0003228937.tif 000002
【実用新案登録請求の範囲】
【請求項１】
型枠（コンクリートパネル）設置の現場においてアンカーセットを行う場合にケガキ線を記したスパイク付きの治具を押付け固定し容易にセット出来る治具である。
【考案の詳細な説明】
【技術分野】
【０００１】  本考案は、アンカーボルトを容易にセット出来る治具である。
【背景技術】
【０００２】    従来、アンカーボルトのセットは、様々な方法で設置されてきた。
【考案の概要】
【考案が解決しようとする課題】
【０００３】  建築現場での初期作業の一つであるアンカーボルトの設置は、正確かつ時間の短縮が求められる。
前述の問題点を解決しようとするものである。
【課題を解決するための手段】
【０００４】  本考案は、予め組まれた型枠（コンクリートパネル）の中に、アンカーセットをする際に型枠に刺さる様に４か所に「スパイク」を取り付け、それをボルトで押し付けて固定し治具にある「ケガキ線」を型枠にあらかじめマークしてあるポイントに合わせて治具を固定する。
【考案の効果】
【０００５】  上述の様に、本考案のアンカーセット治具は、現場での時間短縮はもちろん正確にアンカーボルトをセット出来る為、作業効率が良くなる。
【図面の簡単な説明】
【０００６】
【図１】本考案のアンカーボルトを容易にセット出来る治具の図面である。
【考案を実施するための形態】
【０００７】  予め設置された型枠（コンクリートパネル）にアンカーボルトの中心をマーキングしその位置へ治具を設置する。
ナットの締め付けによりスパイク付きのプレートが、型枠（コンクリートパネル）に刺さり固定される。
【実施例】
【０００８】以下、添付図面に従って実施例を説明する。
１及び２は、一般構造用角形鋼管を溶接加工したものである。
６の型枠（コンクリートパネル）に予めアンカーボルトの中心位置にマーキングされた治具を設置し型枠に５のスパイク付きのプレートを押し当て位置を決める。
その後、３のロングナットに挿入されてある４のズレ防止付きのボルトナットを６の型枠（コンクリートパネル）に徐々に押し当てて固定する。
その結果、５のズレ止めスパイクの効果で定位置に治具を固定できる。
【符号の説明】
【０００９】１  角形鋼管
２  センターケガキ済プレート
３  高ナット
４  プレート付きボルト
５  ズレ止めスパイク
６  型枠（コンクリートパネル）
７  アンカーボルト
【図１】
0003228937.tif 000003
(57)【要約】      （修正有）【課題】腕木型の誘導標識の柱と腕木との結合部分の耐久力を向上させる誘導標識腕木補強金具を提供する。【解決手段】腕木型の誘導標識を構成する柱と腕木との結合部分の該柱の左右側面に取り付けられる金属製Ｌ型及び金属製逆Ｌ型状の１対の誘導標識１、２であって、該腕木を支える為の羽根部３と、該柱及び該腕木に対して木ネジで固定する為に設けられた穴部４、５と、を有する。【選択図】図１
0003228919.tif 000002
【実用新案登録請求の範囲】
【請求項１】
腕木型の誘導標識を構成する柱と腕木との結合部分の該柱の左右側面に取り付けられるＬ型の誘導標識腕木補強金具。
【考案の詳細な説明】
【技術分野】
【０００１】  本考案は、誘導標識腕木の補強金具に関するものである。
【背景技術】
【０００２】  公園や登山道等で多く使用されている腕木型の誘導標識は、柱と腕木の結合部分が構造的に耐久力に乏しい為に多くの現存標識が不安定な状態になっている。
【考案の概要】
【考案が解決しようとする課題】
【０００３】  腕木型の誘導標識の柱と腕木との結合部分の耐久力を向上させる補強金具を提供することを目的とする。
【課題を解決するための手段】
【０００４】  本考案は、腕木型の誘導標識を構成する柱と腕木との結合部分の該柱の左右側面に取り付けられるＬ型の誘導標識腕木補強金具であることを特徴とする。
【図面の簡単な説明】
【０００５】
【図１】本考案の補強金具の斜視図ある。
【図２】図１の補強金具を組み込んだ上面図である。
【図３】図１補強金具を組み込んだ誘導標識の背面図である。
【考案を実施するための形態】
【０００６】  金具の形状は２種類、図１（ａ）の誘導標識腕木補強金具Ｌ型１（以下Ｌ型と表記）と図１（ｂ）誘導標識腕木補強金具逆Ｌ型２（以下逆Ｌ型と表記）がある。
一般的には柱７に腕木８、１０がボルトナット９で固定されている。
それを補強する目的で図２のように両側にＬ型１を穴５を介して腕木８、１０に木ネジ６で固定し、穴４で柱７に木ネジ６で固定する。固定することで羽根３が腕木８、１０を支え、腕木８、１０が回転方向に緩むことを防止する。
誘導標識腕木補強金具逆Ｌ型２を用いて柱７に腕木８、１０を木ネジ６で固定する場合も同様である。
【０００７】  取付は２通り、図３（ａ）両方向腕木８にはＬ型１と逆Ｌ型２の各１個づつ使用し羽根３は腕木を下から持ち上げる形に固定する。
また、図３（ｂ）片方向腕木１０には左右向きがあり、左向きにはＬ型１を２個使用し、右向きには逆Ｌ型２を２個使用する。片方向腕木の場合は同じ形状を使うことで、腕木方向の下部と反対側の上部を羽根３で支えることで腕木１０が回転方向に緩むことを防止する。
腕木を支える羽根３は高度山間部の風雪に耐えられるために一個あたり１ｔ以上の強度をもたせる。
【符号の説明】
【０００８】１    誘導標識腕木補強金具（Ｌ型）
２    誘導標識腕木補強金具（逆Ｌ型）
３    羽根
４    Ｌ型金具の柱固定用のボルト穴
５    Ｌ型金具の腕木固定用のボルト穴
６    固定用木ネジ
７    柱
８    両方向腕木
９    ボルトナット
１０  片方向腕木
１１  誘導標識（両方向）背面図
１２  誘導標識（左片方向）背面図
【図１】
0003228919.tif 000003
【図２】
0003228919.tif 000004
【図３】
0003228919.tif 000005
【手続補正書】
【提出日】令和2年4月15日(2020.4.15)
【手続補正１】
【補正対象書類名】実用新案登録請求の範囲
【補正対象項目名】全文
【補正方法】変更
【補正の内容】
【実用新案登録請求の範囲】
【請求項１】
腕木型の誘導標識を構成する柱と腕木との結合部分の該柱の左右側面に取り付けられる金属製Ｌ型及び金属製逆Ｌ型状の１対の誘導標識であって、
該腕木を支える為の羽根部等、
該柱及び該腕木に対して木ネジで固定する為に設けられた穴部を有する誘導標識腕木補強金具。
【手続補正書】
【提出日】令和2年7月16日(2020.7.16)
【手続補正１】
【補正対象書類名】実用新案登録請求の範囲
【補正対象項目名】全文
【補正方法】変更
【補正の内容】
【実用新案登録請求の範囲】
【請求項１】
腕木型の誘導標識を構成する柱と腕木との結合部分の該柱の左右側面に取り付けられる金属製Ｌ型及び金属製逆Ｌ型状の１対の誘導標識であって、該腕木を支える為の羽根部と、
該柱及び該腕木に対して木ネジで固定する為に設けられた穴部と、を有する誘導標識腕木補強金具。
(57)【要約】      （修正有）【課題】美容の施術で、マスクの紐が邪魔になることを解消する美容室お客様専用マスクを提供する。【解決手段】ペーパータオルから作る四角で長方形の型をした、紐のないマスクであり、裏の面の上部横に１線、両サイドに縦に１線、下部の中央の部分の四ヶ所に両面テープを貼り、表のテープを剥がし、鼻の中央に上部分を当てながら両サイドに顔をくっつけ、下部は折り目を下に伸ばしながら顎の下にくっつける事で、カットした髪の毛や飛沫がマスクの間から入ることを防止できる。【選択図】図１
0003228927.tif 000002
【実用新案登録請求の範囲】
【請求項１】
ペーパータオルから作る四角で長方形の型をした、紐のないマスクであり、裏の面の上部横に１線、両サイドに縦に１線、下部の中央の部分の四ヶ所に両面テープを貼り、表のテープを剥がし、鼻の中央に上部分を当てながら両サイドに顔をくっつけ、下部は折り目を下に伸ばしながら顎の下にくっつける事で、カットした髪の毛や飛沫がマスクの間から入ることを防止できる事を特徴とする、美容室お客様専用マスクである。
【考案の詳細な説明】
【技術分野】
【０００１】  本考案は理容・美容室で施術の際にお客様の顔にくっつける紐のないマスクである。
【背景技術】
【０００２】  今までは、マスクに紐がついており、耳の周りの施術をするのに困難だった。
【考案の概要】
【考案が解決しようとする課題】
【０００３】  このマスクにより、理容・美容室の施術が容易にできるようになる。
【課題を解決するための手段】
【０００４】  本考案は、マスク２箇所に折り目をいれ、マスクの裏側の上部の部分・両サイドの部分、下部の部分の４箇所に両面テープを貼り、表のテープを剥がし、顔にくっつけるようにしている。
【考案の効果】
【０００５】  本考案により、お客様も理容・美容室もお互いにマスクをつけることにより、飛沫の防止にもなり、精神的、肉体的にも満足していただける。
【図面の簡単な説明】
【０００６】
【図１】  マスクの表面の図
【図２】  マスクの裏面の図
【考案を実施するための形態】
【０００７】  マスクの中央２箇所に折り目をいれ、マスクの裏側４箇所に両面テープを貼る。
【実施例】
【０００８】加工生の優れたペーパータオルから作られたマスクであり、マスクの中央２箇所に▲１▼折り目をいれ、マスク４箇所に▲２▼両面テープを貼り、表のテープを剥がし、顔にくっつけるタイプのマスクである。
【符号の説明】
【０００９】▲１▼折り目  ▲２▼両面テープ
0003228927.tif 000003
【手続補正書】
【提出日】令和2年9月14日(2020.9.14)
【手続補正１】
【補正対象書類名】図面
【補正対象項目名】全図
【補正方法】変更
【補正の内容】
【図１】
0003228927.tif 000004
【図２】
0003228927.tif 000005
(57)【要約】      （修正有）【課題】持ち運びを容易にするとともに使用後の廃棄を容易にする椅子席用祭壇を提供する。【解決手段】背板２、天板３、脚４及び写真台５を有し、人が椅子に座った状態で利用可能な椅子席用祭壇１００であって、床から上方に延びる平板状の背板２、背板２の前面において下側に空間を空けて設けられる平板状の天板３、天板３の下面を支える脚４及び背板２の前面において天板３よりも上側に設けられた写真台５がダンボール材からなる。【選択図】図１
0003228991.tif 000002
【実用新案登録請求の範囲】
【請求項１】
背板、天板、脚及び写真台を有し、人が椅子に座った状態で利用可能な椅子席用祭壇であって、
前記背板、前記天板、前記脚及び前記写真台がダンボール材からなる、椅子席用祭壇。
【考案の詳細な説明】
【技術分野】
【０００１】
本考案は、椅子席用祭壇に関するものである。
【背景技術】
【０００２】
従来、特許文献１に示すように、畳席用の祭壇をダンボール材を用いて構成されたものがある。
【０００３】
しかしながら、近年、座敷の無いフローリングの住宅が増えており、畳席用の祭壇では使い勝手が悪い。このため、人が椅子に座った状態で利用可能な椅子席用祭壇が用いられているが、従来の椅子席用祭壇は木材や金属製のものであり、持ち運びが困難であり、使用後の廃棄にも難がある。
【先行技術文献】
【特許文献】
【０００４】
【特許文献１】実用新案登録第３２２２９０９号公報
【考案の概要】
【考案が解決しようとする課題】
【０００５】
そこで本考案は、椅子席用祭壇の持ち運びを容易にするとともに使用後の廃棄を容易にすることを提供するものである。
【課題を解決するための手段】
【０００６】
すなわち、本考案に係る椅子席用祭壇は、背板、天板、脚及び写真台を有し、人が椅子に座った状態で利用可能な椅子席用祭壇であって、前記背板、前記天板、前記脚及び前記写真台がダンボール材からなることを特徴とする。
【考案の効果】
【０００７】
この考案によれば、椅子席用祭壇をダンボール材から構成しているので、軽量化を図ることができ、持ち運びを容易にすることができる。また、ダンボール材から構成しているので、使用後の廃棄が容易になる。さらに、火葬場において行われる直葬に用いたあとに、故人の家に移動させて、当該故人の家でも使用することができる。
【図面の簡単な説明】
【０００８】
【図１】本考案の一実施形態における椅子席用祭壇の組み立て図及び完成図である。
【考案を実施するための形態】
【０００９】
本考案の一実施形態について図面を参照して説明する。
【００１０】
本実施形態に係る椅子席用祭壇１００は、図１に示すように、人が椅子に座った状態で利用可能なものである。
【００１１】
具体的に椅子席用祭壇は、床から上方に延びる平板状の背板と、当該背板の前面において下側に空間を空けて設けられる平板状の天板と、当該天板の下面を支える脚と、当該脚に支持される天板を補強するための幕板と、背板の前面において天板よりも上側に設けられた写真台とを備えている。なお、写真台の先端部上面には、背板に立て掛けた写真の下端が当接する例えば透明アクリル製の当接部が設けられている。
【００１２】
そして、背板、天板、脚、幕板及び写真台はそれぞれダンボール材から構成されている。ここで、ダンボール材は、強化ダンボールを用いており、例えば、複々両面ダンボールや複両面ダンボール等を用いることができる。本実施形態では、少なくとも背板、天板、脚及び写真台は、木目調の外装が施されている。
【００１３】
次に、椅子席用祭壇１００の組み立て手順について、図１を参照して説明する。
折り畳まれた背板を展開して、背板に形成された脚差込孔に脚を挿し込む（１−１〜１−３）。
次に脚の上部に形成された幕板差込孔に幕板を挿し込む（２−１、２−２）。
その後、背板に形成された天板差込孔に天板を挿し込む（３−１、３−２）。ここで、脚の上面には、天板の下面に形成された凹部に嵌る凸部が形成されており、天板の凹部が脚の凸部に嵌るようにする（３−ａ〜３−ｄ）。
そして、背板に形成された写真台差込孔に写真台を挿し込む（４−１〜４−２）。
上記により組み立てた後に、背板の背面に突出した各部材の突出部に留め具を挿し込んで固定する（５−１〜５−２）。
以上によって、椅子席用祭壇が完成する（６）。
背板の前面において左右両側にはそれぞれ脚が挿し込まれて固定される。
【００１４】
本実施形態の椅子席用祭壇１００は、椅子席用祭壇１００をダンボール材から構成しているので、軽量化を図ることができ、持ち運びを容易にすることができる。また、ダンボール材から構成しているので、使用後の廃棄が容易になる。さらに、火葬場において行われる直葬に用いたあとに、故人の家に移動させて、当該故人の家でも使用することができる。その他、各部材を挿し込むだけで組み立てることができるので、組み立ても容易にすることができる。
【００１５】
その他、本考案は前記実施例に限られずその趣旨を逸脱しない範囲で種々変形が可能である。
【符号の説明】
【００１６】
１００・・・椅子席用祭壇
２・・・背板
３・・・天板
４・・・脚
５・・・写真台
６・・・幕板
７・・・留め具
【図１】
0003228991.tif 000003
【手続補正書】
【提出日】令和2年8月19日(2020.8.19)
【手続補正１】
【補正対象書類名】実用新案登録請求の範囲
【補正対象項目名】全文
【補正方法】変更
【補正の内容】
【実用新案登録請求の範囲】
【請求項１】
上方に延びる平板状の背板と、当該背板の前面において下側に空間を空けて設けられる平板状の天板と、当該天板の下面を支える脚と、前記背板の前面において前記天板よりも上側に設けられた写真台とを備え、
前記背板、前記天板、前記脚及び前記写真台がダンボール材からなる、椅子席用祭壇。
(57)【要約】      （修正有）【課題】スムーズに畳めて、コンパクトに纏めた状態を保ち、製造工程が少ない携帯用バッグ（バッグとも云う）を提供する。【解決手段】バッグ本体（本体とも云う）を打合せに畳む為の折り目１ａ、１ｂを設けた本体１と、持ち手２と、コンパクトに畳んで纏めた本体と持ち手とを結束する結束部材３とでバッグＢを構成する。本体に折り目を設けることで、折り目通りに畳めば、バッグの結束部材に対して本体を逆向きに畳むことが無い。又、打合せに畳むことで、畳んだ本体を、更に、折り目の直角方向に畳むか巻いてコンパクトに纏めることもできる。バッグに結束部材を取り付けると、結束具を紛失することが無く、常にコンパクトに纏めたバッグの状態を保てる。【選択図】図１
0003228993.tif 000002
【実用新案登録請求の範囲】
【請求項１】
バッグ本体と持ち手と結束部材からなる携帯用バッグ（例えばエコバッグ，手提げバッグ，ショルダーバッグ））であって、前記バッグ本体にはバッグ本体を打ち合わせに畳む為の折り目が設けられていることを特徴とする携帯用バッグ。
【考案の詳細な説明】
【技術分野】
【０００１】  本考案は、バッグ本体に折り目が設けられている携帯用バッグ（例えばエコバッグ，手提げバッグ，ショルダーバッグ）に関する。
【背景技術】
【０００２】  コンパクトに纏めたバッグ本体（以降、本体とも云う）と持ち手とを収容する為の収容部材を取り付けた携帯用バッグ（以降、バッグとも云う）において、本体を畳む為の折り目が設けられてないバッグは、バッグをコンパクトに纏める際に（例えば本体を打合せに折り畳んで更にその折り目の直角方向にロール状に巻いた本体と持ち手とを、バッグの収容部材に収容する場合に）、バッグの収容部材に対して本体を逆向きに畳んだり、コンパクトに纏めるときに生地が滑って纏めにくかったりする。
又、バッグに収容部材が無い場合は、バッグが嵩張ったり、コンパクトに纏めたバッグの状態を保つ為に別個の収容具を用意するも、その収容具を紛失することが有り、不便である。
先行技術に特許文献Ｉ，２が有るが、特許文献１には折り目は有るが収容部材が無く、特許文献２はリストバンドを兼ねたデザインであり利便性があるが、製造工程が多い。
【先行技術文献】
【特許文献】
【０００３】
【特許文献１】特開２００９−６１１６７号公報
【特許文献２】特開２０１０−８８８４３号公報
【考案が解決しようとする課題】
【０００４】  本考案は、前記した課題を解決するようにしたもので、スムーズに畳めて、コンパクトに纏めた状態を保ち、且つ、コストを考慮して製造工程が少ない携帯用バッグを提供する。
【課題を解決するための手段】
【０００５】  本体を打合せに畳む為の折り目を設けた本体と、持ち手と、コンパクトに畳んで纏めた本体と持ち手とを結束する結束部材とでバッグを構成する。
【考案の効果】
【０００６】  本体に折り目を設けることで、折り目通りに畳めば、バッグの結束部材に対して本体を逆向きに畳むことが無く、又、打合せに折り畳むことで、畳んだ本体を、更に、折り目の直角方向に畳むか巻いてコンパクトに纏める際には、両脇（＝折り目）が打合せに畳まれていると、畳んだ状態が安定して生地が滑りにくいので、スムーズに畳めるし巻ける。
バッグに結束部材を取り付けると、結束具を紛失すること無く、常に、コンパクトに纏めたバッグの状態を保てる。
収容部材としては、結束部材は収納部材に比してスピーディーにバッグを収容でき、又、製造工程を少なくできる。
【図面の簡単な説明】
【０００７】
【図１】バッグを平面に広げた図。
【図２】本体に設けられた折り目通りに、本体を打合せに畳んだバッグの図。
【図３】図２の状態の本体を、更に、折り目に対して直角方向にロール状に巻いて、本体と持ち手とを、バッグの結束部材で結束したバッグの図。
【考案を実施するための形態】
【０００８】  本考案は、本体１を打合せに畳む為の折り目１ａ〜ｄを設けた本体１と、持ち手２と、コンパクトに畳んで纏めた本体１と持ち手２とを結束する結束部材３とで構成された携帯用バッグＢ（例えばエコバッグ，手提げバッグ，ショルダーバッグ）である。
【０００９】本考案の一実施形態を添付図に基づいて説明する。
【００１０】  図１は、バッグＢを平面に広げた図であり、本体１には本体１を打合せに畳む為の折り目１ａ〜ｄが設けられ、本体１の開口部１ｅには、結束部材３が取り付けられている。前記折り目１ａ〜ｄにはピンタック，パーマネント・プレス加工などの折り目加工が施される。１ｆは本体１の底部である。
【００１１】  図２は、本体１を、前記折り目１ａ〜ｄ通りに、打合せに折り畳んだバッグの図である
【００１２】  図３は、図２の状態の本体１を、更に折り目１ａ〜ｄの直角方向に巻いて、本体１と持ち手２とを結束部材３で結束した図である。
【産業上の利用可能性】
【００１３】  バッグに結束部材を取り付けることで、常に、コンパクトに纏めたバッグの状態を保てて、結束具を紛失することが無い。又、収容部材として、結束部材は収納部材に比してスピーディーにバッグを収容でき、又、製造工程を少なくできるので製造コストを抑えられる。
本体に折り目を設けることで、折り目通りに畳めば、結束部材に対して本体を逆向きに畳むという失敗が無い。又、本体を打合せに畳むと、畳んだ状態が安定して生地が滑りにくいのでスムーズに畳めるし巻ける。
【符号の説明】
【００１４】Ｂ    携帯用バッグ（バッグとも云う）
１    バッグ本体（本体とも云う）
１ａ  折り目（前面左）
１ｂ  折り目（前面右）
１ｃ  折り目（背面左）
１ｄ  折り目（背面右）
１ｅ  開口部
１ｆ  底部
２    持ち手
３    結束部分
【図１】
0003228993.tif 000003
【図２】
0003228993.tif 000004
【図３】
0003228993.tif 000005
(57)【要約】      （修正有）【課題】災害などで電気を必要とする時間が延びていることに対応でき、可搬型発電機の長時間運転が可能な燃料供給システムを提供する。【解決手段】燃料供給システムは、可搬型発電機の燃料供給口に取り付けられる、液面センサー５などを内蔵した燃料供給キャップ４と複数のタンク３を接続して連続して燃料を供給するポンプ、およびその制御装置を備える。可搬式発電機本体に一切手を加えることなく、燃料を外部から補給できる。【選択図】図１
0003228978.tif 000002
【実用新案登録請求の範囲】
【請求項１】
一般的な液体燃料の可搬型発電機の燃料補給口に取り付ける液面センサー付き燃料供給キャップと複数のタンクを接続して連続して燃料を供給する装置とを組み合わせた汎用型燃料供給システム
【考案の詳細な説明】
【技術分野】
【０００１】  可搬型発電機に関する分野です。
【背景技術】
【０００２】  可搬型発電機はできるだけ小型化し、持ち運びが楽になるように考えられるので当然ですが、使われる燃料タンクは比較的小容量のものが一般的で、そもそも長時間運転には向いていません。
【考案の概要】
【考案が解決しようとする課題】
【０００３】  ところが最近は災害などで電気を必要とする時間が延びているので、可搬型発電機にも長時間運転のニーズが生まれています。ただし、単に燃料タンクを大型化するのではせっかくの可搬性が犠牲になります。
【課題を解決するための手段】
【０００４】  そこで可搬型発電機の燃料供給口に取り付けられる、液面センサーなどを内蔵した燃料供給キャップを取り付け、本体に一切手を加えることなく、燃料を外部から補給できる装置を考案しました。燃料供給装置は▲１▼のポンプなどを内蔵した供給装置本体。▲２▼の外部燃料タンク。▲３▼の燃料タンクと本体を接続するホース。▲４▼の燃料供給キャップと一体化した接続ホース。▲５▼の燃料液面センサーで構成されます。燃料供給キャップに内蔵した液面センサーが燃料の減少を検知すると、外部タンクから燃料を吸い上げ、発電機の燃料タンクに燃料を追加する仕組みです。主なメーカーの給油口に取り付けられるアタッチメントも備えています。
【考案の効果】
【０００５】  この燃料供給装置を使うと、市販の可搬型発電機に一切手を加えることなく、キャップを嵌めかえるだけで、連続運転可能な発電機として使えるようになります。そのための操作も一切不要で発電機から電源さえ供給しておけば、その後は自動的に燃料が減れば外部タンクから補給されるようになります。また、外部タンクにワンタッチコネクタ付きの製品を使えば、複数のタンクを簡単に取り替えることができ、事実上燃料容量には制限がなくなります。
【図面の簡単な説明】
【０００６】
【図１】可搬型液体燃料発電機用汎用型燃料供給システム構成図
【産業上の利用可能性】
【０００７】  すでに可搬型発電機は１００万台以上もが市場にでており、日本での年間販売台数もおおむね１０万台を超えるような製品です。それらの製品に本製品をとりつけるだけで、性能はそのままで発電時間をほぼ制限が無いくらいに延長できます。これは単に汎用可搬型発電機の性能を高めるだけではなく、従来では使えなかった用途にまで広げられる可能性があり、産業上の利用可能性は非常に大きいと言えます。
【符号の説明】
【０００８】１  燃料供給装置本体
２  接続用ホース
３  ワンタッチコネクタ付き外部１９．５Ｌタンク
４  燃料供給キャップ一体接続ホース
５  燃料液面検知センサー
【図１】
0003228978.tif 000003
【手続補正書】
【提出日】令和2年7月31日(2020.7.31)
【手続補正１】
【補正対象書類名】実用新案登録請求の範囲
【補正対象項目名】全文
【補正方法】変更
【補正の内容】
【実用新案登録請求の範囲】
【請求項１】
可搬型発電機の燃料補給口に取り付ける、液面センサー付き燃料供給キャップと複数のタンクを接続して連続して燃料を供給するポンプ、およびその制御装置を組み合わせた燃料供給システム
(57)【要約】【課題】過度な締付感や蒸れを感じることなく、快適に着用できるタイツを提供する。【解決手段】ウエスト部分１にレッグ部分２が二股状に連設された編み物のタイツにおいて、ウエスト部分１とレッグ部分２との編み方が異なっており、ウエスト部分１の編み方が鹿の子編みとされているものとする。ウエスト部分１が、表目と裏目を縦横交互に組み合わせ、隆起と透かし目を縦横に配置した鹿の子編みにより形成されているので、着用状態において、腰回りに圧迫感や蒸れを感じることがない。【選択図】図１
0003228976.tif 000002
【実用新案登録請求の範囲】
【請求項１】
ウエスト部分(1)にレッグ部分(2)が二股状に連設された編み物のタイツにおいて、前記ウエスト部分(1)と前記レッグ部分(2)との編み方が異なっており、前記ウエスト部分(1)の編み方が鹿の子編みとされていることを特徴とするタイツ。
【考案の詳細な説明】
【技術分野】
【０００１】
この考案は、下半身に着用する衣類であるタイツに関するものである。
【背景技術】
【０００２】
下半身用衣類であるタイツは、腰回りに沿うウエスト部分に、足先へ至るレッグ部分が二股状に連設されたものであり、ウエスト部分とレッグ部分とは、通常、同様の編み方で編まれている。
【考案の概要】
【考案が解決しようとする課題】
【０００３】
しかしながら、このようなタイツでは、着用者の腰部と脚部のそれぞれに適した着用圧や通気性が得られないことがあった。
【０００４】
そこで、この考案は、過度な締付感や蒸れを感じることなく、快適に着用できるタイツを提供することを課題とする。
【課題を解決するための手段】
【０００５】
上記のような課題を解決するため、この考案は、ウエスト部分にレッグ部分が二股状に連設された編み物のタイツにおいて、前記ウエスト部分と前記レッグ部分の編み方が異なっており、前記ウエスト部分の編み方が鹿の子編みとされているものを提供することとしたのである。
【考案の効果】
【０００６】
この考案に係るタイツは、ウエスト部分が、表目と裏目を縦横交互に組み合わせ、隆起と透かし目を縦横に配置した鹿の子編みにより形成されているので、着用状態において、腰回りに圧迫感や蒸れを感じることがない。
【図面の簡単な説明】
【０００７】
【図１】この考案の実施形態に係るタイツを着用者の正面となる方向から見た図
【図２】同上の左側面となる方向から見た図
【図３】同上の右側面となる方向から見た図
【図４】同上の背面となる方向から見た図
【図５】同上の腰回りとなる方向から見た図
【図６】同上の足先となる方向から見た図
【図７】図１のＡ部を拡大した図
【図８】同上のウエスト部分の編み目を拡大した図
【考案を実施するための形態】
【０００８】
以下、この考案の実施形態を添付図面に基づいて説明する。
【０００９】
図１乃至図６に示すように、このタイツは、ウエスト部分１にレッグ部分２が二股状に連設された編み物である。
【００１０】
ウエスト部分１とレッグ部分２とは、異なる編み方により編まれている。
【００１１】
レッグ部分２は、通常のものと同様、伸縮性の大きい編み方とさてれいる。
【００１２】
これに対して、図７に示すように、ウエスト部分１は、鹿の子編みとされている。鹿の子編みは、図８に示すように、表目と裏目を縦横交互に組み合わせて編むことにより、肌に触る面に隆起と透かし目が縦横に配置されるようにする編み方である。
【００１３】
このように、ウエスト部分１が鹿の子編みとされたタイツは、レッグ部分２がフィット感に優れた伸縮性の大きな編み方としていても、着用状態において、腰回りに圧迫感や蒸れを感じることがなく、快適に着用することができる。
【００１４】
また、非着用状態では、ウエスト部分１があまり収縮していないので、着脱する動作も容易に行うことができる。
【符号の説明】
【００１５】
１  ウエスト部分
２  レッグ部分
【図１】
0003228976.tif 000003
【図２】
0003228976.tif 000004
【図３】
0003228976.tif 000005
【図４】
0003228976.tif 000006
【図５】
0003228976.tif 000007
【図６】
0003228976.tif 000008
【図７】
0003228976.tif 000009
【図８】
0003228976.tif 000010
(57)【要約】      （修正有）【課題】可搬式発電機の長時間運転を可能にするエンジンオイル自動供給装置を提供する。【解決手段】可搬式発電機のオイル供給口に差し込んだオイル供給管３と、脱着可能なコネクター２と一体になる外部オイルタンク１の組み合わせで、発電機内エンジンオイル液面がオイル供給管の先端より低下するとそこから空気が入り、その分のオイルが自動的に落下し供給され、その後はオイルタンク内が真空になりオイル落下が止まる。【選択図】図１
0003228979.tif 000002
【実用新案登録請求の範囲】
【請求項１】
可搬式発電機のオイル供給口にとりつけ外部オイルタンクと一体になるようにエンジン内に差し込んだオイル供給管との組み合わせで、オイル液面がオイル供給管の先端より低下すると空気が入り、その分のオイルが自動的に落下し供給されるエンジンオイル自動供給装置
【考案の詳細な説明】
【技術分野】
【０００１】  可搬型発電機の長時間運転に関する分野です。
【背景技術】
【０００２】  可搬型発電機はできるだけ小型化し、持ち運びが楽になるように考えられるので当然ですが、使われる燃料タンクは比較的小容量のものが一般的で、そもそも長時間運転には向いていません。最近は別置き燃料タンクなどを組み合わせた長時間運転できる発電機も増えてきました。
【考案の概要】
【考案が解決しようとする課題】
【０００３】  しかし、発電時間を延長するために様々な工夫を凝らして長時間運転できる発電機でも、現状では可搬式発電機ではエンジン潤滑用オイルの量に限りがあるのと、エンジン潤滑用オイルを追加するには一旦エンジンを止める必要があるため、エンジンオイルがなくなるとオイルセンサーが働き発電機は止まってしまいます。ガソリンだけではなくオイルの量も発電時間延長の妨げになっていました。
【課題を解決するための手段】
【０００４】  そこで可搬型発電機の潤滑用オイル供給口に取り付けられ、キャップと一体化したオイル供給管をエンジン内に一定の長さ差し込み、その先端をオイル液面が下回ると、オイルタンク内からオイルが自動的に落下、供給されるオイル自動供給装置を考案しました。オイル供給時は簡単にタンクを外すことができます。また、オイル供給に電機や他の動力を一切使わないため、どのような発電機にも取り付けが可能です。
【考案の効果】
【０００５】  このエンジン潤滑オイ自動供給機能付きキャップを使うと、市販の可搬型発電機に一切手を加えることなく、オイル供給キャップを本装置に嵌めかえるだけで、エンジンオイルの不足から止まることもなく、単に外部からガソリンさえ供給し続ければ、連続運転可能な発電機として使えるようになります。
【図面の簡単な説明】
【０００６】
【図１】可搬型発電機用オイル自動供給装置構成図
【産業上の利用可能性】
【０００７】  すでに可搬型発電機は１００万台以上もが市場にでており、日本での年間販売台数もおおむね１０万台を超えるような製品です。それらの製品に本製品をとりつけるだけで、性能はそのままで発電時間をほぼ制限が無いくらいに延長できます。これは単に汎用可搬型発電機の性能を高めるだけではなく、従来では使えなかった用途にまで広げられる可能性があり、産業上の利用可能性は非常に大きいと言えます。
【符号の説明】
【０００８】１  予備エンジンオイルタンク
２  脱着用ワンタッチフィメール
３  ワンタッチメール・オイル供給管一体型オイルキャップ
【図１】
0003228979.tif 000003
【手続補正書】
【提出日】令和2年7月31日(2020.7.31)
【手続補正１】
【補正対象書類名】実用新案登録請求の範囲
【補正対象項目名】全文
【補正方法】変更
【補正の内容】
【実用新案登録請求の範囲】
【請求項１】
可搬式発電機のオイル供給口に差し込んだオイル供給管（図１−３）と、脱着可能なコネクター（図１−２）で一体になる外部オイルタンク（図１−１）の組み合わせで、発電機内エンジンオイル液面がオイル供給管の先端より低下するとそこから空気が入り、その分のオイルが自動的に落下し供給され、その後はオイルタンク内が真空になりオイル落下が止まるエンジンオイル自動供給装置